(57)【特許請求の範囲】
【請求項１】
建築構造物の壁面に、固定金具によって固定される長尺部材の端面を被覆する端面被覆材であって、
前記長尺部材の端面を覆う被覆部と、
前記長尺部材の端面側から前記長尺部材と前記壁面との間に確保された隙間へ挿入され、前記隙間において固定される固定片とを備えており、
前記固定片は、２つの突片によって全体がコ状に形成されており、２つの前記突片の間に、前記固定金具が挿通する窓が形成されていることを特徴とする端面被覆材。
【請求項２】
前記長尺部材の前記壁面と対向する面には、前記長尺部材の端面から長手方向へ延びる溝が形成されており、前記固定片の最大厚さは、前記溝の深さよりもやや厚く設定されており、前記固定片が前記溝に挿入されて固定される請求項１に記載の端面被覆材。
【請求項３】
建築構造物の壁面に取り付けられる長尺部材の端面を端面被覆材で被覆する端面被覆工法であって、
前記長尺部材の前記壁面と対向する面には、前記長尺部材の端面から長手方向へ延びる溝が形成されており、前記端面被覆材は、前記長尺部材の端面を覆う被覆部と、前記溝に挿入される固定片とを備えており、
（ａ）前記長尺部材における前記固定片と重ならない箇所に固定金具を打ち込んで、その固定金具によって前記長尺部材を前記壁面に固定し、
（ｂ）前記長尺部材の端面側から前記溝へ前記固定片を挿入するとともに、前記長尺部材の端面に前記被覆部を装着し、
（ｃ）前記長尺部材における前記固定片と重なる箇所に固定金具を打ち込んで、その固定金具によって前記長尺部材を前記壁面に固定する端面被覆工法。
【請求項４】
前記長尺部材の表面には、前記固定金具の頭部を収容する凹部が前記溝に対向して形成されており、前記（ａ）工程および前記（ｃ）工程では、前記凹部から前記固定金具を打ち込むようにした請求項３に記載の端面被覆工法。
【発明の詳細な説明】
【技術分野】
【０００１】
本発明は、建築構造物の壁面に取り付けられる長尺部材（長押、手摺、巾木、廻縁等）の端面を被覆する端面被覆材、およびそのような端面被覆材を用いた端面被覆工法に関する。
【背景技術】
【０００２】
住宅等の建築構造物の壁面には、長押、手摺、巾木または廻縁等の様々な長尺部材が取り付けられるが、これらの長尺部材を現場で必要長さに切断して取り付ける場合には、長尺部材の端面にバリが発生したり、端面の装飾性が損なわれたりするおそれがある。
【０００３】
そのため、従来では、長尺部材の端部に「樹脂製キャップ」を嵌合したり（特許文献１）、長尺部材の端面に「塗装」を施したりすることによって、バリや装飾性に関する問題に対処していた。
【特許文献１】特開２００５−３３６９７１号
【発明の開示】
【発明が解決しようとする課題】
【０００４】
しかし、長尺部材の端部に「樹脂製キャップ」を嵌合する場合には、「樹脂製キャップ」が温度や湿度の変化によって変形され易いため、これが長尺部材の端部から脱落するおそれがあった。一方、長尺部材の端面に「塗装」を施す場合には、塗装作業に手間がかかるため、施工時間が長くなるとともに、施工コストが高くなるおそれがあった。また、長尺部材の端面にバリが生じている場合には、これを「塗装」によって完全に覆い隠すことは困難であった。
【０００５】
それゆえに、本発明の主たる課題は、施工性を高めることができるとともに、長尺部材の端部からの脱落を確実に防止でき、さらに、長尺部材の端面を完全に覆い隠すことのできる端面被覆材、およびそのような端面被覆材を用いた端面被覆工法を提供することである。
【課題を解決するための手段】
【０００６】
請求項１に記載した発明は、「建築構造物の壁面１２に、固定金具１８によって固定される長尺部材１４の端面を被覆する端面被覆材１０であって、前記長尺部材１４の端面を覆う被覆部２２と、前記長尺部材１４の端面側から前記長尺部材１４と前記壁面１２との間に確保された隙間Ｓへ挿入され、前記隙間Ｓにおいて固定される固定片２４とを備えており、前記固定片２４は、２つの突片２４ｃによって全体がコ状に形成されており、２つの前記突片２４ｃの間に、前記固定金具１８が挿通する窓２４ｂが形成されていることを特徴とする端面被覆材１０」である。
【０００７】
この発明では、長尺部材１４と壁面１２との間に確保された隙間Ｓにおいて固定片２４が固定されるので、長尺部材１４の端部から端面被覆材１０が不所望に脱落することはない。また、この発明では、固定片２４に形成された窓２４ｂに固定金具１８を挿通させることができるので、固定金具１８で長尺部材１４の端部を壁面１２に固定することができ、長尺部材１４と壁面１２とによって固定片２４を確実に挟持することができる。
【０００８】
請求項２に記載した発明は、請求項１に記載した「端面被覆材１０」において、「前記長尺部材１４の前記壁面１２と対向する面には、前記長尺部材１４の端面から長手方向へ延びる溝１６が形成されており、前記固定片２４の最大厚さは、前記溝１６の深さよりもやや厚く設定されており、前記固定片２４が前記溝１６に挿入されて固定される」ことを特徴とする。
【０００９】
この発明では、固定片２４の最大厚さが溝１６の深さよりもやや厚く設定されているので、固定片２４を溝１６に挿入した状態では、長尺部材１４と壁面１２とによって固定片２４が挟持される。
【００１２】
請求項３に記載した発明は、「建築構造物の壁面１２に取り付けられる長尺部材１４の端面を端面被覆材１０で被覆する端面被覆工法であって、前記長尺部材１４の前記壁面１２と対向する面１４ａには、前記長尺部材１４の端面から長手方向へ延びる溝１６が形成されており、前記端面被覆材１０は、前記長尺部材１４の端面を覆う被覆部２２と、前記溝１６に挿入される固定片２４とを備えており、（ａ）前記長尺部材１４における前記固定片２４と重ならない箇所に固定金具１８を打ち込んで、その固定金具１８によって前記長尺部材１４を前記壁面１２に固定し、（ｂ）前記長尺部材１４の端面側から前記溝１６へ前記固定片２４を挿入するとともに、前記長尺部材１４の端面に前記被覆部２２を装着し、（ｃ）前記長尺部材１４における前記固定片２４と重なる箇所に固定金具１８を打ち込んで、その固定金具１８によって前記長尺部材１４を前記壁面１２に固定する、端面被覆工法」である。
【００１３】
この発明は、請求項１に記載した端面被覆材１０を用いた端面被覆工法に関するものであり、長尺部材１４と壁面１２とによって固定片２４を挟持することができるので、施工後に端面被覆材１０が脱落することはない。
【００１４】
請求項４に記載した発明は、請求項３に記載した「端面被覆工法」において、「前記長尺部材の表面には、前記固定金具１８の頭部１８ａを収容する凹部２０が前記溝１６に対向して形成されており、前記（ａ）工程および前記（ｃ）工程では、前記凹部２０から前記固定金具１８を打ち込むようにした」ことを特徴とする。
【００１５】
この発明では、長尺部材１４の表面に形成された凹部２０が固定金具１８を打ち込む位置を示す目印となり、固定金具１８を実際に打ち込む際には、この凹部２０がガイドとなるので、打ち込み作業の作業効率を高めることができる。また、凹部２０は溝１６に対向して形成されているので、凹部２０から打ち込んだ固定金具１８によって長尺部材１４を壁面１２に固定した際には、溝１６に挿入された固定片２４を長尺部材１４と壁面１２とによって強固に挟持することができる。なお、凹部２０としては、「溝」または「穴」のいずれであってもよいが、長尺部材１４の長さに応じて固定金具１８を最適な間隔で打ち込める点において、「溝」であることが望ましい。
【発明の効果】
【００１６】
請求項１〜４に記載した発明によれば、長尺部材１４と壁面１２との間に確保された隙間Ｓにおいて固定片２４を固定するようにしているので、温度や湿度の変化によって端面被覆材１０が変形した場合であっても、長尺部材１４の端部から端面被覆材１０が不所望に脱落するのを防止できる。したがって、長尺部材１４の端面を被覆部２２で覆った状態を永続的に保持することが可能となる。また、長尺部材１４の端面に「塗装」を施す必要はないので、施工時間を短縮できるとともに、施工コストを低減できる。
【発明を実施するための最良の形態】
【００１７】
図１は、本発明が適用された端面被覆材１０を示す（Ａ）背面斜視図および（Ｂ）正面斜視図である。端面被覆材１０（図１）は、図２〜図４に示すように、建築構造物の壁面１２に取り付けられる長尺部材１４の端面を被覆するものである。
【００１８】
ここで、長尺部材１４（図２〜図４）は、長押、手摺、幅木または廻縁等として用いられる長尺の板状部材であり、長尺部材１４における前面上下の角部は、略４５度で面取りされている。また、長尺部材１４の背面１４ａには、所定の深さおよび幅を有する溝１６が、長尺部材１４の端面から長手方向へ延びて形成されている。したがって、長尺部材１４と壁面１２との間には、図３に示すように、溝１６によって隙間Ｓが確保されることになる。さらに、長尺部材１４の前面には、釘またはビス等のような固定金具１８の頭部１８ａを収容する「凹部」としての複数の穴２０が溝１６に対向して形成されている。
【００１９】
長尺部材１４の材料としては、特に限定されるものではないが、例示するならば、挽材、合板、木質繊維板（ＩＢ，ＭＤＦ等）、木削片板（パーティクルボード、ストランドボード、ＯＳＢ等）、集成材、単板積層材等の木質系材料、硬質塩化ビニール樹脂、ＡＢＳ樹脂、ＰＳ樹脂（ポリスチレン樹脂）等の合成樹脂材料、ステンレス、アルミ、スチール等の金属系材料等を挙げることができる。また、長尺部材１４の表面には、化粧紙、化粧樹脂含浸紙、化粧合成樹脂シート（オレフィンシート、塩ビシート等）、化粧単板または突板等からなる化粧面材が貼り付けられてもよく、これらの化粧面材に着色塗装、柄模様印刷または透明塗装等が施されてもよい。さらに、化粧面材が貼り付けられた後に、化粧面材の表面に着色塗装や透明塗装が施されてもよい。
【００２０】
なお、この実施例では、長尺部材１４を必要長さに切断して使用することを想定しているため、長尺部材１４の長手方向全長に亘って溝１６が形成されているが、長尺部材１４が定尺で使用される場合には、長尺部材１４の端部にだけ溝１６が形成されてもよい。また、長尺部材１４と壁面１２との間に隙間Ｓを確保できる限り、溝１６を有しない構成（たとえば、２つの突条で隙間を確保する構成）が採用されてもよい。そして、この実施例では、固定金具１８の頭部１８ａを収容する「凹部」として複数の「穴２０」が形成されているが、この「穴２０」に代えて、１つまたは複数の「溝」が形成されてもよい。
【００２１】
端面被覆材１０（図１、図２）は、長尺部材１４の端面を被覆する被覆部２２と、隙間Ｓにおいて固定される固定片２４とを備えている。
【００２２】
被覆部２２は、長尺部材１４の端部に被せられるキャップ状のものであり、長尺部材１４の端面形状とほぼ同じ形状に形成された板状の被覆部本体２６を有している。そして、被覆部本体２６の前端縁、上端縁および下端縁には、長尺部材１４の外面に嵌合される側面視略コ状の嵌合部２８が、被覆部本体２６の主面に対して直交する方向へ延びて形成されている。
【００２３】
嵌合部２８は、「長尺部材１４の端部に端面被覆材１０を係止する機能」と、「長尺部材１４の端面と被覆部本体２６との間に生じる隙間を目隠しする機能」とを併有するが、「長尺部材１４の端部に端面被覆材１０を固定する機能」は、主として固定片２４が奏するものである。したがって、嵌合部２８の長さは、少なくとも目隠し対象となる「隙間」の幅よりも長く設定されていればよい。
【００２４】
固定片２４は、長尺部材１４と壁面１２との間に確保された隙間Ｓへ挿入されて固定されるものであり、被覆部本体２６の後端縁から嵌合部２８と略平行に延びて板状に形成されている。この実施例における隙間Ｓは、上述のように、溝１６によって確保されるものであるため、固定片２４の幅は、溝１６の幅よりもやや小さく設定されており、固定片２４の最大厚さは、溝１６の深さよりもやや厚く設定されている。なお、固定片２４の最大厚さが溝１６の深さよりもやや厚く設定されているのは、長尺部材１４と壁面１２とによって固定片２４を確実に挟持するためである。
【００２５】
被覆部２２および固定片２４の材料としては、特に限定されるものではないが、例示するならば、硬質塩化ビニール樹脂、ＡＢＳ樹脂、ＰＳ樹脂（ポリスチレン樹脂）等の合成樹脂材料や、ステンレス、アルミ、スチール等の金属系材料等を挙げることができる。
【００２６】
端面被覆材１０を用いて長尺部材１４の端面を被覆する「端面被覆工法」では、図５に示した３つの工程（ａ），（ｂ）および（ｃ）がこの順に実行される。
【００２７】
まず、（ａ）工程では、長尺部材１４における固定片２４と重ならない箇所に固定金具１８を打ち込んで、その固定金具１８によって長尺部材１４を壁面１２に固定する。「長尺部材１４における固定片２４と重ならない箇所」に固定金具１８を打ち込むのは、後工程で溝１６に挿入される固定片２４が固定金具１８と干渉するのを避けるためである。
【００２８】
この工程において、固定金具１８を打ち込む位置は、長尺部材１４の表面に形成された穴２０によって示されており、固定金具１８を実際に打ち込む際には、穴２０が固定金具１８のガイドとなる。したがって、作業者は、固定金具１８の打ち込み作業を効率よく行うことができる。なお、（ａ）工程においては、長尺部材１４を仮固定できる程度に固定金具１８を緩めに打ち込んでおき、最終の段階で固定金具１８を完全に打ち込むようにしてもよい。
【００２９】
続く（ｂ）工程では、長尺部材１４の端面側から溝１６へ端面被覆材１０の固定片２４を挿入するとともに、長尺部材１４の端面に被覆部２２を装着する。つまり、隙間Ｓへ固定片２４を挿入するとともに、長尺部材１４の端部にキャップ状の被覆部２２を被せる。
【００３０】
この工程における長尺部材１４の端部は、未だ固定金具１８によって壁面１２に固定されておらず、長尺部材１４の端部においては、隙間Ｓの幅を本固定時の幅よりもやや大きく確保することができる。したがって、固定片２４の最大厚さが溝１６の深さよりもやや厚く設定されているにもかかわらず、溝１６へ固定片２４を挿入することができる。
【００３１】
そして、（ｃ）工程では、長尺部材１４における固定片２４と重なる箇所に固定金具１８を打ち込んで、その固定金具１８によって長尺部材１４を壁面１２に固定し、長尺部材１４と壁面１２とによって固定片２４を挟持する。「長尺部材１４における固定片２４と重なる箇所」に固定金具１８を打ち込むのは、長尺部材１４と壁面１２とによって固定片２４を強固に挟持するためである。
【００３２】
この工程において、固定金具１８を打ち込む位置は、長尺部材１４の端部表面に形成された穴２０によって示されており、固定金具１８を実際に打ち込む際には、穴２０が固定金具１８のガイドとなる。したがって、作業者は、固定金具１８の打ち込み作業を効率よく行うことができる。
【００３３】
なお、（ｃ）工程では、固定金具１８を固定片２４に貫通させるようにしているので、固定片２４の厚みが厚ければ、これに固定金具１８を貫通させる作業が困難であり、施工性が損なわれたり、固定片２４が損傷したりするおそれがある。一方、固定片２４の全体の厚みを薄くしたのでは、十分な固定強度を得ることができない。そのため、固定片２４については、図６に示すように、固定金具１８が貫通される部分に、他の部分よりも肉厚が薄い薄肉部２４ａが形成されてもよく、また、図７に示すように、固定金具１８が挿通する部分に、窓２４ｂが形成されてもよい。固定片２４に窓２４ｂが形成される場合には、この窓２４ｂも固定片２４を構成する要素となるため、「長尺部材１４における固定片２４と重なる箇所」には、「長尺部材１４における窓２４ｂと重なる箇所」が含まれることになる。
【００３４】
そして、窓２４ｂが形成される場合には、図７に示すように、固定片２４の全体がコ状に形成されてもよいし、窓２４ｂが貫通孔（図示省略）として形成されてもよい。固定片２４の全体がコ状に形成された場合には、図８に示すように、コ状部分の２つの突片２４ｃ（図７）が固定金具１８を挟んだ位置に配置される。したがって、この場合には、長尺部材１４に全ての固定金具１８を先に打ち込んで仮固定した後に、長尺部材１４の端部に端面被覆材１０を装着するようにしてもよい。さらに、固定片２４の固定強度を確保できる限り、突片２４ｃ(図７)を一つだけ有する構成が採用されてもよい(図示省略)。
【００３５】
また、固定片２４の全体がコ状に形成される場合には、固定片２４を可撓性材料で形成することによって、２つの突片２４ｃに溝１６の幅方向への可撓性を持たせることができるので、固定片２４全体の幅を溝１６の幅よりもやや大きく設定することによって、２つの突片２４ｃを溝１６の内側面に当接させてより強固に固定するようにしてもよい。
【００３６】
そして、各固定片２４の上面には、図９に示すように、点状（突起）または線状（突条）の突部３０が形成されてもよく、コ状の固定片２４の場合には、図１０に示すように、突片２４ｃの上部が上方へ向かって凸となる三角形に形成されてもよい。このような構成によれば、固定金具１８で長尺部材１４を壁面１２に固定する際、突部３０（図９）または突片２４ｃ（図１０）が長尺部材１４に食い込むため、長尺部材１４に対して端面被覆材１０をより確実に固定することができる。
【００３７】
また、長尺部材１４における溝１６の数および固定片２４の数は、図１１および図１２に示すように、２つ以上であってもよい。固定片２４の数が複数になると、長尺部材１４に対して端面被覆材１０をより確実かつ安定的に固定することができる。
【００３８】
さらに、長尺部材１４の形状は適宜変更可能であり、長尺部材１４が「長押」として用いられる場合には、図１３に示すように、長尺部材１４の背面上部に所定角度で傾斜した面取り部３２が形成されてもよいし、長尺部材１４の下部に前面が後退した薄肉部３４が形成されてもよい。このように長尺部材１４の形状が変更された場合には、それに応じて端面被覆材１０の形状も適宜変更されることになる。図１３に示した長尺部材１４および端面被覆材１０を壁面１２に固定した場合には、図１４に示すように、長尺部材１４の面取り部３２（図１３）にハンガー３６等を引っ掛けることができ、また、薄肉部３４において長尺部材１４とハンガー３６との干渉を避けることができる。
【図面の簡単な説明】
【００３９】
【図１】端面被覆材を示す背面斜視図および正面斜視図
【図２】端面被覆材の使用状態を示す正面図
【図３】図２におけるIII-III断面図
【図４】端面被覆材の使用状態を示す簡略斜視図
【図５】端面被覆工法を示す工程図
【図６】他の端面被覆材を示す背面斜視図
【図７】他の端面被覆材を示す背面斜視図
【図８】図７の端面被覆材の使用状態を示す正面図
【図９】固定片の変形例を示す正面図および側面図
【図１０】固定片の変形例を示す正面図および側面図
【図１１】固定片の変形例を示す正面斜視図
【図１２】図１１の固定片を有する端面被覆材の使用状態を示す断面図
【図１３】長押に適用された長尺部材の使用状態を示す断面図
【図１４】長押に適用された長尺部材の使用状態を示す正面図
【符号の説明】
【００４０】
１０…  端面被覆材
１２…  壁面
１４…  長尺部材
１６…  溝
１８…  固定金具
１８ａ…  頭部
２０…  凹部
２２…  被覆部
２４…  固定片
２４ａ…  薄肉部
２４ｂ…  窓
２４ｃ…  突片
２６…  被覆部本体
２８…  嵌合部
３０…  突部
【図１】
0004711896.tif 000002
【図２】
0004711896.tif 000003
【図３】
0004711896.tif 000004
【図４】
0004711896.tif 000005
【図５】
0004711896.tif 000006
【図６】
0004711896.tif 000007
【図７】
0004711896.tif 000008
【図８】
0004711896.tif 000009
【図９】
0004711896.tif 000010
【図１０】
0004711896.tif 000011
【図１１】
0004711896.tif 000012
【図１２】
0004711896.tif 000013
【図１３】
0004711896.tif 000014
【図１４】
0004711896.tif 000015